(57)【要約】      （修正有）【課題】スマートフォン等の本体の盗難と、電池やシムカードの盗難のいずれをも防止する盗難防止装置に用いられるシートタグを提供する。【解決手段】略Ｕ字形状を構成する３つの略直線部分からなる盗難防止用シートタグ１０であって、そのシートタグは、折り曲げ自在な絶縁材に、略Ｕ字形状に沿って導体パターンを設けたものであり、略Ｕ字形状の一方の縦線に相当する略直線部分は、シートタグコネクタ２０に挿入する接続片１０ａであって、その接続片をシートタグコネクタに挿入したときに前記導体パターンに通電可能な構成であり、略Ｕ字形状の他方の縦線及び底辺に相当する略直線部分は、片面に接着層を有し、前記底辺に相当する略直線部分の接着層は、スマートフォン等の前面又は背面のいずれか一方の面に貼付され、前記他方の縦線に相当する略直線部分の接着層は、スマートフォン等の側面から反対側の面にかけて折り曲げて貼付されることを特徴とする。【選択図】図１
2013080446.tif 000002
【特許請求の範囲】
【請求項１】
スマートフォンや携帯電話の盗難防止に用いられる略Ｕ字形状を構成する３本の略直線部分からなる盗難防止用シートタグであって、
前記シートタグは、折り曲げ自在な絶縁材に、略Ｕ字形状に沿って導体パターンを設けたものであり、
略Ｕ字形状の一方の縦線に相当する略直線部分は、シートタグコネクタに挿入する接続片であって、前記接続片をシートタグコネクタに挿入したときに前記導体パターンに通電可能な構成であり、
略Ｕ字形状の他方の縦線及び底辺に相当する略直線部分は、片面に接着層を有し、前記底辺に相当する略直線部分の接着層は、スマートフォンや携帯電話の前面又は背面のいずれか一方の面に貼付され、前記他方の縦線に相当する検知片の接着層は、スマートフォンや携帯電話の側面から反対側の面にかけて折り曲げて貼付されることを特徴とする盗難防止用シートタグ。
【請求項２】
本体部と蓋体とを備えた薄板状の被保護体の盗難を防止する盗難防止装置に用いられる盗難防止用シートタグであって、
前記盗難防止用シートタグは、折り曲げ自在なシート状の絶縁材に導体パターンを設けた検知片と、該検知片の導体パターンと電気的な接続をするとともに外部との電気的な接続が可能な接続片とを有し、
前記検知片が、片面に接着層を有し、一端が前記被保護体の一方の面上に接着され、他端が反対側の面上に接着され、これらの間に前記蓋体の一部が含まれるように接着可能なことを特徴とする盗難防止用シートタグ。
【請求項３】
前記検知片が、前記接続片の両側に相互に直交する方向に延設され、前記被保護体の角部に装着されるようにしたことを特徴とする請求項２に記載の盗難防止用シートタグ。
【請求項４】
前記検知片が、前記接続片の両側に相互に平行に延設され、前記被保護体の側部に装着されるようにしたことを特徴とする請求項２に記載の盗難防止用シートタグ。
【請求項５】
請求項１から４のいずれかに記載した盗難防止用シートタグと、
前記シートタグの接続片を挿入する挿入口を備えたシートタグコネクタと、
前記シートタグコネクタに接続するケーブルと、
前記シートタグコネクタの内部又は前記ケーブルの先端部に備えられた警報装置と、を有し、
前記シートタグが貼付後に剥がされたり、前記シートタグが破断されたり、前記シートタグが前記シートタグコネクタの挿入口から抜かれたり、前記ケーブルが切断されたりしたときに、前記警報装置が作動することを特徴とする盗難防止装置。
【発明の詳細な説明】
【技術分野】
【０００１】
本発明は、販売店において展示している携帯電話やスマートフォン及びこれらの電池やシムカード等の盗難を防ぐために用いる盗難防止用シートタグ及びこれを用いた盗難防止装置に関するものである。
【背景技術】
【０００２】
家電量販店などでは、商品や商品の見本などを展示し、購入者はその商品等を手に取ってデザインや操作性などを確認し、購入するかどうかを決定するという販売形態が多い。そして、このように展示している商品等は盗難されやすいので、盗難防止装置を取り付けて対策されていることが多い（例えば、特許文献１，２）。
【０００３】
一般的な盗難防止装置は、展示している商品に両面テープなどで盗難防止タグを貼付するものである。このような盗難防止タグは、小さな筺体の内部に、電源電池、ブザーなどの警報装置、これら電源と警報装置とを接続する警報回路が形成された回路基板、盗難を検知するための検出スイッチなどを収納したものである。回路基板からはさらに、ループ状のケーブルが筺体の外へと延びており、このケーブルを商品の展示棚の固定バー等に結合させる構成になっている。また、ケーブルの先端にもう一つ盗難防止タグを設けて、展示棚等に貼付するという構成でもよい。そして、盗難者が、この盗難防止タグを剥がしたり、接続されているケーブルを切断したりして、商品を店外に持ち出そうとすると、警報を鳴らして店員に知らせることになる。
【０００４】
ところで、被保護体となるスマートフォンや携帯電話は、厚さ１５ｍｍ程度の四角い薄板状で、液晶画面や電装品が含まれる本体部の裏面のほぼ全体を蓋体で覆う構造であったり、裏面の一部だけを蓋体で覆う構造になっている。そして、携帯電話やスマートフォン（以下、スマートフォン等、とする。）についても実際に手に取って操作できるように展示することが多いため、盗難防止装置が利用されている。しかし、近年は、スマートフォン等の本体の盗難だけではなく、蓋体を外して内部の電池やシムカード等だけが盗難される被害が多くなり、問題となっている。
【０００５】
この問題に対し、例えば、一組の盗難防止タグをスマートフォン等の本体に付けただけでは、蓋体を外しても検知できないので、電池等の盗難を防ぐことはできない。また、複数の盗難防止タグを取り付けるのは煩雑である。さらに、蓋の中にある電池そのものに盗難防止タグを付けることも難しい。
【０００６】
一方、盗難防止装置には、シート状のタグを用いた構成の物もある（例えば、特許文献３参照）。図１１は、特許文献３に記載されたシートタグを用いた従来の盗難防止タグの斜視図である。
【０００７】
この盗難防止タグは、導体パターン４１を有するシートタグ４０をシートタグコネクタ２０に差し込んで使用される。シートタグ４０は、シート状の基材と、基材上に形成される導電層と、導電層上に形成される接着層とを有し、物品にシートタグ４０の接着層面を貼り付け、制御手段により導電層の抵抗値を検出して異なる状態になったときに警報手段を駆動させるものである。つまり、シートタグ４０を剥がしたり、シートタグコネクタ２０からシートタグ４０を抜いたり、ケーブル２１やシートタグ４０を切断したりすると、警報装置が作動するようになっている。
【０００８】
このような盗難防止タグであれば、スマートフォン等の本体部分と電池等の蓋体部分とを跨ぐように貼付することにより、スマートフォン等の本体と電池等とを同時に盗難被害から守ることができる。
【先行技術文献】
【特許文献】
【０００９】
【特許文献１】特開２０００−３０１５６号公報
【特許文献２】特開平１０−２２２７７２号公報
【特許文献３】特開２００４−７８６１０号公報
【発明の概要】
【発明が解決しようとする課題】
【００１０】
しかし、図１１に示した従来のシートタグの形状では、スマートフォン等の前面又は背面にシートタグコネクタ２０が突出することになり、手に取って操作するときに邪魔であるし、また、シートタグコネクタ２０がスマートフォン等の前面にあると、画面が見にくく、外観上も好ましくない。また、近年増加している非接触充電は、充電パッドの上にスマートフォン等を置くだけで充電できるものであるが、背面にシートタグコネクタ等があると、充電パッド等の平面上に安定した状態で置くことができないため、充電を妨げる要因になることもある。
【００１１】
そこで、このような実情に鑑み、本発明は、スマートフォン等の本体の盗難と、電池やシムカードの盗難のいずれをも防止できる盗難防止装置に使用されるシートタグ及びこのシートタグを用いて、平面上に安定して置くことができる構成にした盗難防止装置を提供することを目的とする。
【課題を解決するための手段】
【００１２】
上記の目的を達成するために本発明のスマートフォンや携帯電話に用いる本発明の盗難防止用シートタグは、スマートフォンや携帯電話の盗難防止に用いられる略Ｕ字形状を構成する３本の略直線部分からなる盗難防止用シートタグであって、前記シートタグは、折り曲げ自在な絶縁材に、略Ｕ字形状に沿って導体パターンを設けたものであり、略Ｕ字形状の一方の縦線に相当する略直線部分は、シートタグコネクタに挿入する接続片であって、前記接続片をシートタグコネクタに挿入したときに前記導体パターンに通電可能な構成であり、略Ｕ字形状の他方の縦線及び底辺に相当する略直線部分は、片面に接着層を有し、前記底辺に相当する略直線部分の接着層は、スマートフォンや携帯電話の前面又は背面のいずれか一方の面に貼付され、前記他方の縦線に相当する検知片の接着層は、スマートフォンや携帯電話の側面から反対側の面にかけて折り曲げて貼付されることを特徴としている。なお、底辺に相当する略直線部分の接着層をスマートフォン等の前面に貼付し、他方の縦線に相当する略直線部分の接着層を側面から背面にかけて折り曲げて貼付してもよい。
【００１３】
または、本体部と蓋体とを備えた薄板状の被保護体の盗難を防止する盗難防止装置に用いられる盗難防止用シートタグであって、前記盗難防止用シートタグは、折り曲げ自在なシート状の絶縁材に導体パターンを設けた検知片と、該検知片の導体パターンと電気的な接続をするとともに外部との電気的な接続が可能な接続片とを有し、前記検知片が、片面に接着層を有し、一端が前記被保護体の一方の面上に接着され、他端が反対側の面上に接着され、これらの間に前記蓋体の一部が含まれるように接着可能なことを特徴としている。
【００１４】
前記検知片が、前記接続片の両側に相互に直交する方向に延設され、前記被保護体の角部に装着されるようにした構成にしたり、前記検知片が、前記接続片の両側に相互に平行に延設され、前記被保護体の側部に装着されるように構成したりすることができる。
【００１５】
また、この盗難防止用シートタグを備えた盗難防止装置は、シートタグと、そのシートタグの接続片を挿入する挿入口を備えたシートタグコネクタと、そのシートタグコネクタに接続するケーブルと、前記シートタグコネクタの内部又は前記ケーブルの先端部に備えられた警報装置と、を有し、前記シートタグが貼付後に剥がされたり、前記シートタグが破断されたり、前記シートタグが前記シートタグコネクタの挿入口から抜かれたり、前記ケーブルが切断されたりしたときに、前記警報装置が作動することを特徴とするものである。
【発明の効果】
【００１６】
本発明の盗難防止用シートタグ及びこれを用いた盗難防止装置によれば、スマートフォン等の前面から背面にかけて本体と蓋体とを跨ぐようにしてシートタグを貼付できることから、本体だけでなく、蓋体を外してバッテリーやシムカードを抜き取る盗難被害をも防ぐことができるという効果を奏する。
【００１７】
また、シートタグコネクタは、スマートフォン等の側面に配置させることが可能なので、スマートフォン等を充電パッド等の平面上に安定した状態で置くことができるという効果も奏する。
【図面の簡単な説明】
【００１８】
【図１】本発明に係る盗難防止装置の分解斜視図である。
【図２】シートタグをシートタグコネクタに結合する状況を示した斜視図である。
【図３】本発明に用いられる回路図である。
【図４】シートタグをスマートフォン等に貼付する状況を示した斜視図である。
【図５】シートタグの先端接着部をスマートフォン等の側面から前面にかけて貼付する状況を示した斜視図である。
【図６】ケーブルクリップによりケーブルを係止する状況を示した斜視図である。
【図７】盗難防止装置をスマートフォン等に設置した全体を示す斜視図であり、（ａ）はケーブル先端に盗難防止タグを設けた場合、（ｂ）はケーブル先端をループ状にして固定バーに結合した場合である。
【図８】シートタグの第２実施例の図で、（ａ）は展開した斜視図、（ｂ）は使用状態を示す斜視図である。
【図９】シートタグの第３実施例の図で、（ａ）は展開した斜視図、（ｂ）は使用状態を示す斜視図である。
【図１０】シートタグの第４実施例の図で、（ａ）は展開した斜視図、（ｂ）は使用状態を示す斜視図である。
【図１１】従来のシートタグを用いた盗難防止タグを示す斜視図である。
【発明を実施するための形態】
【００１９】
以下、本発明の実施の形態を、添付図面を参照して説明する。
【００２０】
図１は、本発明の第１実施例のシートタグを使用した盗難防止装置の分解斜視図であり、図２は、図１に示すシートタグをシートタグコネクタに結合する状況を示した斜視図である。
【００２１】
本発明において、盗難防止装置１００は、シートタグ１０をシートタグコネクタ２０に結合して用いられる。盗難防止装置１００全体としては、シートタグコネクタ２０から延びるケーブル２１を有し、ケーブル２１の他端は、図１（ａ）に示したように盗難防止タグ３０を設けてもよいし、（ｂ）に示したようにケーブル２１をループ形状にしてもよい。なお、ケーブル２１の端部に盗難防止タグ３０を設ける場合は、警報装置や電池等は、盗難防止タグ３０に内蔵させればよいが、端部をループ形状にする場合は、シートタグコネクタ２０に警報装置や電池等を内蔵させる必要がある。
【００２２】
シートタグ１０は、略Ｕ字形状をしている。言い換えると、シートタグ１０は、２本の平行な直線部とそれらを繋ぐ底辺部とからなる形状をしている。一方の縦線に相当する略直線部分は、シートタグコネクタ２０に挿入する接続片１０ａとなっていて、端部には導線が露出していて、図２（ａ），（ｂ）に示すように、シートタグコネクタ２０に挿入でき、外部との電気的接続ができる構造になっている。また、もう一方の縦線に相当する直線部分は、片面が接着層になっていて、スマートフォン等５０に貼付できる構成になっている。ここでは、接着層を有する縦線部分を検知片１０ｂとし、接着層を有する底辺部分を連結片１０ｃということにする。なお、シートタグ１０は、略Ｕ字形状をしているが、必ずしも検知片１０ｂと接続片１０ａを同じ長さにする必要はなく、接続片１０ａの方を長くすることがあり、その場合は、Ｕ字よりもＪ字形状に近くなることもある。
【００２３】
シートタグ１０は、柔軟で折り曲げ自在な絶縁材からなるが、接続片１０ａはシートタグコネクタ２０と接続可能な剛性を備えている。シートタグ１０の表面には、シートタグ１０の形状に沿って、導体パターンが形成されている。そして、シートタグコネクタ２０に接続片１０ａを挿入すると、導体パターンに通電可能な構成になっている。そこで、本発明の盗難防止装置１００に係る電気回路について、説明する。
【００２４】
図３は、本発明に用いられる回路図である。この図３は、回路３とシートタグコネクタ２０をケーブル２１で繋いだように示しているので、図１（ａ）に示したケーブル２１の先端に盗難防止タグ３０を設けた盗難防止装置を表している。しかし、検出装置５を削除し、回路３をすべてシートタグコネクタ２０に内蔵させ、ケーブル２１を延ばしてループ状にすれば、図１（ｂ）に示した盗難防止装置を表すことになる。したがって、図３によって、図１（ａ），（ｂ）の両方の実施例の回路３を説明することができる。
【００２５】
警報装置４としてのブザーは、一端が電源スイッチ６を介して電源２のプラス側に接続され、他端はトランジスタＱ３のコレクタに接続される。トランジスタＱ３のエミッタは電源２のマイナス極に接続され、Ｑ３のベースは抵抗Ｒ３を介してトランジスタＱ２のコレクタに接続されている。Ｑ２のベースは抵抗Ｒ４を介してトランジスタＱ１のコレクタに接続され、Ｑ２のエミッタは電源２のプラス側に接続される。抵抗Ｒ１、検出スイッチ５、ケーブル２１及び導体パターン１０ｄは直列に接続され、電源２の両極に接続される。Ｑ２のベースは抵抗Ｒ４を介してトランジスタＱ１のコレクタに接続されるとともに、並列に配置されたダイオードＤを介して、抵抗Ｒ１と検出スイッチ５との間に接続されている。Ｑ２のコレクタとＱ１のベースとは、抵抗Ｒ４を介して接続されている。トランジスタＱ１のエミッタは電源２のマイナス極に接続される。
【００２６】
以上の構成において、盗難防止タグ３０が貼付された状態でシートタグ１０をシートタグコネクタ２０に挿入したときは、検出スイッチ５がＯＮで、電源スイッチ６がＯＮになっている。このとき、電源２→電源スイッチ６→Ｒ１→検出スイッチ５→ケーブル２１→導体パターン１０ｄ→ケーブル２１→電源２の回路に電気が流れる。トランジスタＱ１，Ｑ２，Ｑ３はオフの状態となり、警報装置４はＯＦＦとなり、電気が流れず、警報を発しない。
【００２７】
盗難者が盗難防止タグ３０を剥がすと、検出スイッチ５が突出してＯＦＦとなる。また、シートタグ１０をシートタグコネクタ２０から引き抜いたり、ケーブル２１や導体パターン１０ｄを切断したときも同様にＯＦＦとなる。すると、抵抗Ｒ１からダイオードＤを経てトランジスタＱ１のベースからエミッタに電気が流れ、Ｑ１がＯＮとなり、Ｒ４を通じトランジスタＱ２のベースが接地されＱ２がＯＮとなる。トランジスタＱ２がＯＮになると、抵抗Ｒ３からトランジスタＱ３のベースからエミッタ間に電気が流れ、Ｑ３がＯＮとなり、警報装置４が鳴動する。Ｑ３がＯＮとなると、検出スイッチ５をＯＮの状態にしたり、シートタグ１０をシートタグコネクタ２０に挿入してもＱ１はＯＮの状態を保持し、警報装置４は鳴動を停止しない。警報装置４を停止させるには、電源スイッチ６をＯＦＦにしなければならないことになる。
【００２８】
図４は、シートタグをスマートフォン等に貼付する状況を示した斜視図であり、図５は、シートタグの先端接着部をスマートフォン等の側面から前面にかけて貼付する状況を示した斜視図である。
【００２９】
図４はスマートフォン５０の裏面側を示すが、この図のスマートフォン５０では、裏面の１平面で画定されるほぼ裏面の全体が蓋体となっている。シートタグコネクタ２０に接続片１０ａを挿入した後、シートタグ１０の検知片１０ｂの一端（連結片１０ｃとの接続部）をスマートフォン等５０の蓋体の一部、すなわち背面側方部の点線で示した箇所Ａに貼付する。図５（ａ）はこの状態を前面側から見た図である。これで、スマートフォン等５０に盗難防止装置１００が取り付けられたことになるが、このままでは、蓋体を外して本体から、例えばバッテリー等を盗難されるおそれがある。そこで、シートタグ１０の検知片１０ｂの他端（先端側）を折り曲げて、スマートフォン等５０の側面から本体の前面にかけて図５（ｂ）に示すように貼付する。このとき、検知片１０ｂは、前面のごく一部しか覆わないので、液晶画面を見るのを妨げることはない。なお、上記とは逆に、スマートフォン等５０の前面にシートタグ１０の検知片１０ｂの一端を貼付し、検知片１０ｂの他端をスマートフォン等５０の側面から背面の蓋体にかけて折り曲げて貼付してもよい。
【００３０】
このような方法でシートタグ１０を貼付するとスマートフォン等５０を前面から背面まで（蓋体と本体とを）一つのシートタグ１０で把持したような形になるので、スマートフォン等５０から盗難防止装置１００を外すためには、シートタグ１０を剥がすか若しくは切るか、又はシートタグコネクタ２０からシートタグ１０を抜くといったことをしなければならない。前述したように、シートタグ１０を切ったり、シートタグ１０を抜いたりすると警報装置４が作動する。また、剥離インク等を使用して、シートタグ１０を剥がすとシートタグ１０内の導体パターン１０ｄが破壊されるような構成にしておけば、シートタグ１０を剥がすだけで警報装置４が作動することになる。
【００３１】
また、シートタグ１０を用いると、シートタグコネクタ２０は、スマートフォン等５０の側面部に位置することになる。そうすると、スマートフォン等５０を充電パッドのような平面上に置くときに邪魔にならず、安定した状態で置くことができる。なお、別のシートタグ１０を充電パッドに貼付し、充電パッドの盗難防止に用いてもよい。
【００３２】
シートタグコネクタ２０から延びているケーブル２１を引っ張ると、シートタグコネクタ２０からシートタグ１０が抜け、それによって警報装置４が作動することがある。そうすると普通に展示しているスマートフォン等５０を手に取ったとき、ケーブル２１に何かが引っ掛かって、不意に警報装置４が作動することが懸念される。そこで、ケーブルクリップ２２を使って、ケーブル２１をスマートフォン等５０に係止しておくことで、不意による警報装置４の作動を減らすことができる。
【００３３】
図６は、ケーブルクリップによりケーブルを係止する状況を示した斜視図である。シートタグ１０をスマートフォン等５０の本体に取り付けた後、ケーブル２１にケーブルクリップ２２を取り付ける。ケーブルクリップ２２は、シートタグ１０と同様に、片面が接着面になっていて、スマートフォン等５０に貼付できる構成である。そして、図６（ａ）に点線で示した箇所Ｂにケーブルクリップ２２を貼付する。図６（ｂ）は、ケーブルクリップ２２を取り付けた後の図であり、このようにしてケーブル２１を固定しておけば、容易にシートタグ１０が抜けることを防止することができる。
【００３４】
図７は、盗難防止装置をスマートフォン等に設置した全体を示す斜視図であり、（ａ）はケーブル先端に盗難防止タグを設けた場合、（ｂ）はケーブル先端をループ状にして固定バーに結合した場合である。
【００３５】
図７（ａ）のように、端部に盗難防止タグ３０を設ける例では、盗難防止タグ３０を展示棚２４に両面テープで貼付することで、盗難を防止する構成になっている。なお、盗難防止タグ３０の裏面には検出スイッチ５があり、盗難防止タグ３０を展示棚２４から剥がすと、警報装置が作動する構成になっている。このようにケーブル２１の端部に盗難防止タグ３０を設ける構成にすると、盗難防止タグ３０に電池や警報装置を設けることができるために、シートタグコネクタ２０を小型化することが可能となり、充電パッド等の平面上にスマートフォン等５０を置くときに邪魔になりにくい。
【００３６】
また、図７（ｂ）のように、シートタグコネクタ２０から延びたケーブル２１の先端のループ２１ａを、商品の陳列棚等に立設された固定バー２３の回りに一回りさせた後、先端のループ２１ａにシートタグコネクタ２０を通過させ、固定バー２３と結合する。固定バー２３は、両端が棚や壁などに固定されているので、ケーブル２１を固定バー２３の長手方向に移動して端部から抜き取ることはできない。したがって、スマートフォン等５０を盗難するにはシートタグ１０を引き抜くかケーブル２１を切断しなければならないことになる。
【００３７】
図８から１０は、本発明のシートタグの別の実施例で、すべて、第１実施例と同じく、基材に導電パターンが形成され、接着層を備えるもので、形状のみが相違しているだけである。
【００３８】
図８は、本発明のシートタグの第２実施例で、（ａ）は使用前の展開した状態を示す斜視図、（ｂ）は使用状態を示す斜視図である。このシートタグ１１は、導電パターンが形成され、検知片１１ｂを互いに直交する方向に２つ有し、中央に両検知片１１ｂに対して４５゜の角度で接続片１１ａを設けている。両検知片１１ｂの交差部が、連結片１１ｃである。点線の位置で折り曲げると、図８（ｂ）に示すようになり、スマートフォン等の角部に取り付けることができる。使用方法は、第１実施例と同様であり、少なくとも一方の検知片１２ｂが、本体正面と、裏面の蓋体とに貼付されるようにして使用する。被保護体が、蝶番で開閉するタイプの携帯電話の場合、２つの端面を接着するので、開けにくくなり、貼付面積が大きくなるので、剥がしくい。
【００３９】
図９は、本発明のシートタグの第３実施例で、（ａ）は使用前の展開した状態を示す斜視図、（ｂ）は使用状態を示す斜視図である。このシートタグ１２は、検知片１２ｂを互いに直交する方向に２つ有し、一方の検知片１２ｂと平行に接続片１２ａを形成している。両検知片１１ｂの交差部が、連結片１２ｃである。図８と同じく点線の位置で折り曲げると、図９（ｂ）に示すようになり、スマートフォンの角部ないし角部に近い位置に取り付けることができる。接続片１２ａの両側を検知片１２ｂで押さえ、かつ、蝶番で開閉するタイプの携帯電話では、２方向を押さえるので、開きにくくなる。また、貼付面積も大きいので剥がしにくい。
【００４０】
図１０は、本発明のシートタグの第３実施例で、（ａ）は使用前の展開した状態を示す斜視図、（ｂ）は使用状態を示す斜視図である。このシートタグ１３は、２つの検知片１３ｂを平行に配置し、中央に両検知片１３ｂに平行な接続片１３ａを設けている。両検知片１３ｂの中間部が、連結片１３ｃである。点線の位置で折り曲げると、図１０（ｂ）に示すようになり、スマートフォンの側部であればどこにでも取り付けることができる。接続片１３ａの両側を検知片１３ｂで押さえるので、接続片１３ａに加わる力のバランスがとれる。
【符号の説明】
【００４１】
１０、１１、１２、１３      シートタグ
１０ａ、１１ａ、１２ａ、１３ａ    接続片
１０ｂ、１１ｂ、１２ｂ、１３ｂ    検知片
１０ｃ、１１ｃ、１２ｃ、１３ｃ    連結片
１０ｄ    導体パターン
２０      シートタグコネクタ
２１      ケーブル
２２      ケーブルクリップ
５０      スマートフォン等
１００    盗難防止装置
【図１】
2013080446.tif 000003
【図２】
2013080446.tif 000004
【図３】
2013080446.tif 000005
【図４】
2013080446.tif 000006
【図５】
2013080446.tif 000007
【図６】
2013080446.tif 000008
【図７】
2013080446.tif 000009
【図８】
2013080446.tif 000010
【図９】
2013080446.tif 000011
【図１０】
2013080446.tif 000012
【図１１】
2013080446.tif 000013